(57)【要約】【課題】紙の書籍の所有者に当該紙の書籍に対応する電子書籍の提供を優待するための仕組みを提供する。【解決手段】電子書籍の販売を仲介するためのシステムであって、ユーザを識別する第１のユーザ識別情報と、該ユーザが電子書籍販売システムを利用するための第２のユーザ識別情報とを関連付けて記憶するユーザ情報記憶手段と、書籍識別情報と対応する電子書籍の優待購入の可否を特定するための情報とを関連付けて記憶する書籍情報記憶手段と、操作端末から受信した書籍識別情報に関連付けて記憶されている優待購入の可否を特定するための情報に基づいて電子書籍の優待購入が可能かを判断する判断手段と、優待購入が可能と判断されたとき、前記第２のユーザ識別情報と、電子書籍の優待購入の注文を行う注文要求と、を該第２のユーザ識別情報を用いて利用される前記販売システムに送信する注文要求送信手段とを含むシステムを提供する。【選択図】図３
2016173624.tif 000002
【特許請求の範囲】
【請求項１】
１以上の情報処理装置によって構成され、電子書籍の販売を仲介するためのシステムであって、
前記システムを利用するユーザ毎に、該ユーザが該システムを利用する際に用いる第１のユーザ識別情報と、電子書籍を販売する販売システムを該ユーザが利用する際に用いる第２のユーザ識別情報と、を関連付けて記憶するユーザ情報記憶手段と、
紙版書籍を一意に識別するための書籍識別情報と、該紙版書籍に対応する電子書籍の優待購入の可否を特定するための情報とを関連付けて記憶する書籍情報記憶手段と、
操作端末から、ユーザを識別する前記第１のユーザ識別情報と、紙版書籍を一意に識別するための書籍識別情報とを受信する受信手段と、
前記受信手段で受信した書籍識別情報に関連付けて前記書籍情報記憶手段に記憶されている前記優待購入の可否を特定するための情報に基づいて、該書籍識別情報により識別される紙版書籍に対応する電子書籍の優待購入が可能かを判断する判断手段と、
前記判断手段で優待購入が可能と判断されたとき、前記受信手段で受信した第１のユーザ識別情報に関連付けて前記ユーザ情報記憶手段に記憶されている前記第２のユーザ識別情報と、前記受信手段で受信した書籍識別情報により識別される紙版書籍に対応する電子書籍の優待購入の注文を行う注文要求と、を前記販売システムに送信する注文要求送信手段と、
前記注文要求送信手段により送信された注文要求に基づいた注文により前記電子書籍が優待購入されたことに応じて前記販売システムから送信される決済結果を受信する決済結果受信手段と、
前記決済結果受信手段で受信した決済結果に基づいて、前記販売システムを提供する提供者に課金するための課金情報を更新する課金情報更新手段と
を含む、システム。
【請求項２】
前記書籍情報記憶手段は、
前記優待購入の可否を特定するための情報として、前記決済結果の受信に応じてインクリメントされる電子化回数を記憶し、
前記判断手段は、
前記書籍識別情報に関連付けて記憶されている前記電子化回数が所定の上限数に達している場合に、該書籍識別情報により識別される紙版書籍に対応する電子書籍の優待購入が可能ではないと判断する、
請求項１に記載のシステム。
【請求項３】
前記書籍情報記憶手段は
前記優待購入の可否を特定するための情報として、紙版書籍の販売元を送信元とする要求に基づいて有効化／無効化されるフラグを記憶し、
前記判断手段は、
前記書籍識別情報に関連付けて記憶されている前記フラグが無効化されている場合に、該書籍識別情報により識別される紙版書籍に対応する電子書籍の優待購入が可能ではないと判断する、
請求項１または２に記載のシステム。
【請求項４】
コンピュータを、
ユーザを識別する第１のユーザ識別情報と、該ユーザが電子書籍を販売する販売システムを利用するための第２のユーザ識別情報とを関連付けて記憶するユーザ情報記憶手段、
紙版書籍を一意に識別するための書籍識別情報と、該紙版書籍に対応する電子書籍の優待購入の可否を特定するための情報とを関連付けて記憶する書籍情報記憶手段、
操作端末から、ユーザを識別する前記第１のユーザ識別情報と、紙版書籍を一意に識別するための書籍識別情報とを受信する受信手段、
前記受信手段で受信した書籍識別情報に関連付けて前記書籍情報記憶手段に記憶されている優待購入の可否を特定するための情報に基づいて、該書籍識別情報により識別される紙版書籍に対応する電子書籍の優待購入が可能かを判断する判断手段、
前記判断手段で優待購入が可能と判断されたとき、前記受信手段で受信した第１のユーザ識別情報に関連付けて前記ユーザ情報記憶手段に記憶されている前記第２のユーザ識別情報と、前記受信手段で受信した書籍識別情報により識別される紙版書籍に対応する電子書籍の優待購入の注文を行う注文要求と、を前記販売システムに送信する注文要求送信手段、
前記注文要求送信手段により送信された注文要求に基づいた注文により前記電子書籍が優待購入されたことに応じて前記販売システムから送信される決済結果を受信する決済結果受信手段、
前記決済結果受信手段で受信した決済結果に基づいて、前記販売システムを提供する提供者に課金するための課金情報を更新する課金情報更新手段、
として機能させるためのコンピュータ実行可能なプログラム。
【請求項５】
１以上の情報処理装置によって構成され、電子書籍の販売を仲介するためのシステムであって、
前記システムを利用するユーザ毎に、該ユーザが該システムを利用する際に用いる第１のユーザ識別情報と、電子書籍を販売する販売システムを該ユーザが利用する際に用いる第２のユーザ識別情報と、を関連付けて記憶するユーザ情報記憶手段と、
紙版書籍を一意に識別するための書籍識別情報と、該紙版書籍の該紙版書籍に対応する電子書籍への交換の可否を特定するための情報とを関連付けて記憶する書籍情報記憶手段と、
操作端末から、ユーザを識別する前記第１のユーザ識別情報と、紙版書籍を一意に識別するための書籍識別情報とを受信する受信手段と、
前記受信手段で受信した書籍識別情報に関連付けて前記書籍情報記憶手段に記憶されている交換の可否を特定するための情報に基づいて、該書籍識別情報により識別される紙版書籍の該紙版書籍に対応する電子書籍への交換が可能かを判断する判断手段と、
前記受信手段で受信した書籍識別情報により識別される紙版書籍が返却されたことを示す情報の入力を受け付け、かつ、前記判断手段で交換が可能と判断されたとき、前記受信手段で受信した第１のユーザ識別情報に関連付けて前記ユーザ情報記憶手段に記憶されている前記第２のユーザ識別情報と、前記受信手段で受信した書籍識別情報により識別される紙版書籍に対応する電子書籍の交換の注文を行う注文要求と、を前記販売システムに送信する注文要求送信手段と、
前記注文要求送信手段により送信された注文要求に基づいた注文により前記電子書籍が交換として前記ユーザに配信されたことに応じて前記販売システムから送信される配信結果を受信する配信結果受信手段と、
前記配信結果受信手段で受信した配信結果に基づいて、前記販売システムを提供する提供者に課金するための課金情報を更新する課金情報更新手段と
を含む、システム。
【請求項６】
前記書籍情報記憶手段は、
前記電子書籍への交換の可否を特定するための情報として、前記配信結果の受信に応じてインクリメントされる電子化回数を記憶し、
前記判断手段は、
前記書籍識別情報に関連付けて記憶されている前記電子化回数が所定の上限数に達している場合に、該書籍識別情報により識別される紙版書籍の該紙版書籍に対応する電子書籍への交換が可能ではないと判断する、
請求項５に記載のシステム。
【請求項７】
前記書籍情報記憶手段は
前記電子書籍への交換の可否を特定するための情報として、紙版書籍の販売元を送信元とする要求に基づいて有効化／無効化されるフラグを記憶し、
前記判断手段は、
前記書籍識別情報に関連付けて記憶されている前記フラグが無効化されている場合に、該書籍識別情報により識別される紙版書籍に対応する電子書籍の優待購入が可能ではないと判断する、
請求項５または６に記載のシステム。
【請求項８】
コンピュータを、
ユーザを識別する第１のユーザ識別情報と、該ユーザが電子書籍を販売する販売システムを利用するための第２のユーザ識別情報とを関連付けて記憶するユーザ情報記憶手段、
紙版書籍を一意に識別するための書籍識別情報と、該紙版書籍の該紙版書籍に対応する電子書籍への交換の可否を特定するための情報とを関連付けて記憶する書籍情報記憶手段、
操作端末から、ユーザを識別する前記第１のユーザ識別情報と、紙版書籍を一意に識別するための書籍識別情報とを受信する受信手段、
前記受信手段で受信した書籍識別情報に関連付けて前記書籍情報記憶手段に記憶されている交換の可否を特定するための情報に基づいて、該書籍識別情報により識別される紙版書籍の該紙版書籍に対応する電子書籍への交換が可能かを判断する判断手段、
前記受信手段で受信した書籍識別情報により識別される紙版書籍が返却されたことを示す情報の入力を受け付け、かつ、前記判断手段で交換が可能と判断されたとき、前記受信手段で受信した第１のユーザ識別情報に関連付けて前記ユーザ情報記憶手段に記憶されている前記第２のユーザ識別情報と、前記受信手段で受信した書籍識別情報により識別される紙版書籍に対応する電子書籍の交換の注文を行う注文要求と、を前記販売システムに送信する注文要求送信手段、
前記注文要求送信手段により送信された注文要求に基づいた注文により前記電子書籍が交換として前記ユーザに配信されたことに応じて前記販売システムから送信される配信結果を受信する配信結果受信手段、
前記配信結果受信手段で受信した配信結果に基づいて、前記販売システムを提供する提供者に課金するための課金情報を更新する課金情報更新手段、
として機能させるためのコンピュータ実行可能なプログラム。
【発明の詳細な説明】
【技術分野】
【０００１】
本発明は、電子書籍の販売を仲介するシステムおよびプログラムに関する。
【背景技術】
【０００２】
近年のスマートフォンやタブレットＰＣなどの移動端末の普及に伴って、同じタイトルの書籍を、あるときは紙の書籍で読み、あるときは電子書籍を端末で読む、といった読書スタイルが志向されはじめている。
【０００３】
一方、特許文献１は、新しい書籍の楽しみ方を提供することを目的として、書籍に付属するカードの認証情報に基づいて、当該書籍を購入したユーザの端末に当該書籍の内容に関連するコンテンツデータを送信するコンテンツ提供方法を開示する。
【発明の概要】
【発明が解決しようとする課題】
【０００４】
本発明は、上記従来技術に鑑みてなされたものであり、本発明は、紙の書籍の所有者に当該紙の書籍に対応する電子書籍の提供を優待するための仕組みを提供することを目的とする。
【課題を解決するための手段】
【０００５】
本発明者は、紙の書籍の所有者に当該紙の書籍に対応する電子書籍の提供を優待するための仕組みにつき鋭意検討した結果、以下の構成に想到し、本発明に至ったのである。
【０００６】
すなわち、本発明によれば、１以上の情報処理装置によって構成され、電子書籍の販売を仲介するためのシステムであって、前記システムを利用するユーザ毎に、該ユーザが該システムを利用する際に用いる第１のユーザ識別情報と、電子書籍を販売する販売システムを該ユーザが利用する際に用いる第２のユーザ識別情報と、を関連付けて記憶するユーザ情報記憶手段と、紙版書籍を一意に識別するための書籍識別情報と、該紙版書籍に対応する電子書籍の優待購入の可否を特定するための情報とを関連付けて記憶する書籍情報記憶手段と、操作端末から、ユーザを識別する前記第１のユーザ識別情報と、紙版書籍を一意に識別するための書籍識別情報とを受信する受信手段と、前記受信手段で受信した書籍識別情報に関連付けて前記書籍情報記憶手段に記憶されている前記優待購入の可否を特定するための情報に基づいて、該書籍識別情報により識別される紙版書籍に対応する電子書籍の優待購入が可能かを判断する判断手段と、前記判断手段で優待購入が可能と判断されたとき、前記受信手段で受信した第１のユーザ識別情報に関連付けて前記ユーザ情報記憶手段に記憶されている前記第２のユーザ識別情報と、前記受信手段で受信した書籍識別情報により識別される紙版書籍に対応する電子書籍の優待購入の注文を行う注文要求と、を前記販売システムに送信する注文要求送信手段と、前記注文要求送信手段により送信された注文要求に基づいた注文により前記電子書籍が優待購入されたことに応じて前記販売システムから送信される決済結果を受信する決済結果受信手段と、前記決済結果受信手段で受信した決済結果に基づいて、前記販売システムを提供する提供者に課金するための課金情報を更新する課金情報更新手段とを含む、システムが提供される。
【発明の効果】
【０００７】
上述したように、本発明によれば、紙の書籍の所有者に当該紙の書籍に対応する電子書籍の購入を仲介するための仕組みが提供される。
【図面の簡単な説明】
【０００８】
【図１】本実施形態の電子書籍販売仲介システムを含むネットワークシステムを示す図。
【図２】本実施形態のネットワークシステムを構成する装置のハードウェア構成図。
【図３】本実施形態の電子書籍販売仲介システムの機能ブロック図。
【図４】紙版書籍の出版時に実行される処理を示すシーケンス図。
【図５】書籍情報管理テーブルを示す図。
【図６】コード化された書籍個体ＩＤを印刷した紙版書籍を示す図。
【図７】新刊書店において紙版書籍が定価販売される際に実行される処理を示すシーケンス図。
【図８】ユーザ登録画面を示す図。
【図９】ユーザ情報登録テーブルを示す図。
【図１０】追加購入において実行される処理を示すシーケンス図。
【図１１】追加購入において実行される処理を示すシーケンス図。
【図１２】スマートフォンに表示されるログイン画面等を示す図。
【図１３】スマートフォンに表示されるメッセージ画面を示す図。
【図１４】スマートフォンに表示される販売元選択画面等を示す図。
【図１５】古書店における買取・販売の際に実行される処理を示すシーケンス図。
【図１６】交換購入において実行される処理を示すシーケンス図。
【図１７】交換購入において実行される処理を示すシーケンス図。
【図１８】交換購入において実行される処理を示すシーケンス図。
【図１９】書籍回収状況管理テーブルを示す図。
【図２０】スマートフォンに表示される交換予約受付完了画面を示す図。
【図２１】スマートフォンに表示される販売元選択画面等を示す図。
【図２２】課金情報管理テーブルを示す図。
【発明を実施するための形態】
【０００９】
以下、本発明を、実施形態をもって説明するが、本発明は後述する実施形態に限定されるものではない。なお、以下に参照する各図においては、共通する要素について同じ符号を用い、適宜、その説明を省略するものとする。
【００１０】
図１は、本発明の実施形態である電子書籍販売仲介システム１００と当該システムが提供するビジネスプラットフォームを共に運営するパートナー企業によって構成されるネットワークシステム１０００を示す。図１に示されるように、ネットワークシステム１０００は、本実施形態の電子書籍販売仲介システム１００と、Ｗｅｂ上の電子書籍販売店として機能する電子書籍販売システムを構築するサーバ２０と、新刊書籍の販売店（新刊書店）に設置されるサーバ３０と、中古書籍の販売店（古書店）に設置されるサーバ４０と、書籍回収センターに設置されるサーバ５０とを含んで構成されている。そして、各装置は、インターネットやＶＰＮなどとして参照されるネットワーク６０を介して相互通信可能に接続されている。ここで、電子書籍販売仲介システム１００をはじめとする各サーバは、一台のコンピュータとして構成されてもよいし、複数台のコンピュータにより構成されてもよい。なお、以下においては、説明の便宜上、サーバ２０、サーバ３０、サーバ４０およびサーバ５０を、それぞれ、「電子書籍販売店」、「新刊書店」、「古書店」および「書籍回収センター」として参照する場合がある。
【００１１】
ここでは、本実施形態の具体的な内容を説明する前に、本実施形態の電子書籍販売仲介システム１００が提供するビジネスプラットフォームの意義について説明する。
【００１２】
本システムは、書籍の所有者に対して当該書籍のデジタル版コンテンツを優待価格で購入する権利若しくは無料で提供を受ける権利を付与する仕組みを提供するものである。なお、以下では、紙の書籍のデジタル版コンテンツのことを“電子書籍”と呼び、紙の書籍を電子書籍と区別するために“紙版書籍”と呼ぶものとする。
【００１３】
第１に、本システムが提供するビジネスプラットフォームでは、紙版書籍の所有者が当該紙版書籍に対応する電子書籍（すなわち、当該紙版書籍のデジタル版コンテンツ）の購入を希望する場合に、当該所有者に当該電子書籍を優待価格で購入する権利若しくは無料で提供を受ける権利が付与される。なお、ここでいう優待価格は無料を含んでもよい。（以下、同様。）
【００１４】
第２に、本システムが提供するビジネスプラットフォームでは、紙版書籍の所有者が当該紙版書籍の所有権を放棄しその回収に応じることを条件に、当該所有者に当該電子書籍を優待価格で購入する権利若しくは無料で提供を受ける権利が付与される。
【００１５】
本システムが提供するビジネスプラットフォームは、「出版社」、「印刷所」、「電子書籍販売店」、「新刊書店」、「古書店」および「書籍回収センター」の協力を得て運営・維持され、各主体は、当該ビジネスプラットフォームを利用したビジネスモデルから有形・無形のベネフィットを得る。一方、電子書籍販売仲介システム１００の運営主体は、ビジネスプラットフォームを提供することに対する対価を他のパートナーから徴収する。なお、電子書籍販売仲介システム１００の運営主体が他のパートナーから対価を徴収する仕組みについては後述する。
【００１６】
次に、ネットワークシステム１０００を構成する各装置のハードウェア構成を図２に示すハードウェア構成図に基づいて説明する。
【００１７】
電子書籍販売仲介システム１００をはじめとする各サーバを構成するコンピュータは、図２（ａ）に示すように、プロセッサ２００と、ＲＯＭ２０２と、ＲＡＭ２０４と、補助記憶装置２０６と、入出力装置インタフェース２０８と、ネットワークインタフェース２１０とを備えている。
【００１８】
プロセッサ２００は、装置全体の動作を制御する演算装置である。ＲＯＭ２０２は、ＢＩＯＳ等のブートプログラムやファームウェアプログラムなどを保存する不揮発性メモリである。ＲＡＭ２０４は、プログラムを実行するための実行空間を提供する不揮発性メモリである。補助記憶装置２０６は、オペレーティングシステム（ＯＳ）や各種アプリケーション等を保存する大容量のＨＤＤなどである。入出力装置インタフェース２０８は、マウスやキーボード、タッチパネル等の入力装置や表示装置等の出力装置を接続するためのインタフェースである。ネットワークインタフェース２１０は、ネットワーク６０に接続するためのインタフェースである。コンピュータは、適切なＯＳの管理下でプログラムを展開して実行することにより、後述する各機能部を実現する。
【００１９】
一方、図１に示すユーザ端末１０は、パーソナルコンピュータであり、好ましくは、移動情報端末である。以下では、ユーザ端末１０としてスマートフォンが使用される実施形態について説明する。図２（ｂ）に示すように、スマートフォン１０は、プロセッサ３００と、ＲＯＭ３０２と、ＲＡＭ３０４と、補助記憶装置３０６と、タッチパネルディスプレイ３０８と、無線Ｉ／Ｆ３１０とを備えている。
【００２０】
プロセッサ３００は、装置全体の動作を制御する演算装置である。ＲＯＭ３０２は、ＢＩＯＳ等のブートプログラムやファームウェアプログラムなどを保存する不揮発性メモリである。ＲＡＭ３０４は、プログラムを実行するための実行空間を提供する不揮発性メモリである。補助記憶装置３０６は、オペレーティングシステム（ＯＳ）や各種アプリケーション等を保存する大容量のフラッシュメモリなどである。タッチパネルディスプレイ３０８は、ユーザの操作入力を受け付ける表示装置である。無線Ｉ／Ｆ３１０は、アンテナ３１２を通じて無線信号の入出力を行う。なお、以下においては、タッチパネルディスプレイ３０８を単にディスプレイ３０８という。
【００２１】
次に、本実施形態の電子書籍販売仲介システム１００の機能構成を図３に示す機能ブロック図に基づいて説明する。
【００２２】
図３に示すように、本実施形態の電子書籍販売仲介システム１００は、書籍個体ＩＤ発行部１０１と、紙版書籍情報管理部１０２と、書籍個体ＩＤ取得部１０３と、ユーザ情報登録部１０４と、電子書籍注文受付部１０５と、代理注文部１０６と、決済確認部１０８と、課金情報更新部１０９と、ユーザ認証部１１０とを含んで構成されている。
【００２３】
書籍個体ＩＤ発行部１０１は、紙版書籍の個体を一意に識別するための識別子である書籍個体ＩＤを発行するための機能手段である。紙版書籍情報管理部１０２は、書籍個体ＩＤをはじめ紙版書籍に関する情報を一元管理するための機能手段である。ユーザ情報登録部１０４は、ユーザがアカウントを有する電子書籍販売店のアカウント情報をはじめユーザに関する情報を一元管理するための機能手段である。
【００２４】
書籍個体ＩＤ取得部１０３は、電子書籍の購入を希望するユーザのユーザ端末から紙版書籍に付与された書籍個体ＩＤを取得するための機能手段である。電子書籍注文受付部１０５は、ユーザが所有する紙版書籍に対応する電子書籍の注文を受け付けるための機能手段である。
【００２５】
代理注文部１０６は、ユーザから注文を受け付けた電子書籍をユーザに代わって電子書籍販売店に対して代理注文するための機能手段である。ここで、代理注文部１０６は、ユーザ情報登録部１０４に登録されるアカウント情報を使用して電子書籍販売店に代理認証でログインするための機能手段である代理認証部１０７を含む。
【００２６】
決済確認部１０８は、注文した電子書籍の決済結果を電子書籍販売店から取得するための機能手段である。課金情報更新部１０９は、電子書籍販売店から取得した決済結果に基づいて課金情報を更新するための機能手段である。ユーザ認証部１１０は、電子書籍販売仲介システム１００を使用するユーザの認証処理を実行するための機能手段である。
【００２７】
上述した各機能手段は、コンピュータに所定のプログラムをインストールすることによって実現される。本実施形態においては、各機能手段を１台のコンピュータ上で実現してもよいし、各機能手段を適切な単位でネットワーク上の２以上のコンピュータに分散配置する形で実現してもよい。
【００２８】
以上、本実施形態の電子書籍販売仲介システム１００を構成する各機能手段について概説したが、以下においては、上述した各機能手段によって実行される処理の内容をより具体例に説明する。なお、以下の説明においては、適宜、図１および図３を参照するものとする。
【００２９】
まず最初に、出版社が紙版書籍の出版時に実行する処理を図４に示すシーケンス図に基づいて説明する。
【００３０】
出版社は、紙版書籍の印刷を印刷所に依頼することに先だって、電子書籍販売仲介システム１００に書籍個体ＩＤの発行を要求する。詳細には、出版社は、「紙版書籍の品目識別情報」、「発行予定部数」および「電子化上限数」を含む要求を電子書籍販売仲介システム１００に送信する（Ｓ１）。なお、出版社は、電子書籍販売仲介システム１００が提供する所定の入力フォームを介して上記要求を送信してもよいし、電子書籍販売仲介システム１００が指定する所定の専用メールアドレスに宛てて上記要求の内容を電子メールで送信してもよい。
【００３１】
ここで「紙版書籍の品目識別情報」とは、紙版書籍の品目を一意に識別するための識別情報を意味し、具体例としては、ＩＳＢＮ（International Standard Book Number）を挙げることができる。次に、「発行予定部数」とは、印刷を依頼する予定の紙版書籍の冊数を示す情報を意味し、冊数を示す数字であってもよいし、印刷所が冊数を特定できるような識別子であってもよい。そして、「電子化上限数」とは、１冊の紙版書籍について許可する電子化回数の上限を意味し、本実施形態においては、本システムが提供するビジネスプラットフォームに参加する出版社が、当該プラットフォームの利用規約に従って、紙版書籍の品目毎に所定の値（例えば、「１」ないし「２」）を設定する。なお、出版社は、電子化を許可しない場合は「電子化上限数」を「０」に設定することができる。
【００３２】
以下では、電子書籍販売仲介システム１００に通知する「紙版書籍の品目識別情報」としてＩＳＢＮ（International Standard Book Number）を採用する実施形態について説明を行うものとする。
【００３３】
電子書籍販売仲介システム１００が出版社から送信された要求の受信に応じて、書籍個体ＩＤ発行部１０１は、受信した発行予定部数と同じ数の“書籍個体ＩＤ”を発行する（Ｓ２）。ここで、“書籍個体ＩＤ”とは、書籍の品目ではなく、紙版書籍のそれぞれの個体を一意に識別するための識別子を意味し、１種類の紙版書籍の品目に対して当該品目の総発行部数と同じ数の書籍個体ＩＤが発行される。書籍個体ＩＤの現実的な発行方法としては、ＩＳＢＮを構成する数列の末尾に枝番をふっていく方法を挙げることができる。例えば、枝番を７桁にすれば、紙版書籍１品目につき１０００万冊までカバーすることができる。
【００３４】
以下では、説明の便宜上、ＩＳＢＮの末尾に枝番をふっていく方法で書籍個体ＩＤを発行する実施形態について説明を行うが、本発明が書籍個体ＩＤの発行方法を限定するものではないことはいうまでもない。
【００３５】
続いて、紙版書籍情報管理部１０２は、書籍個体ＩＤ発行部１０１が発行した書籍個体ＩＤとこれに関連する情報を図５に例示的に示す書籍情報管理テーブル５００に登録する（Ｓ３）。図５に示すように、書籍情報管理テーブル５００は、書籍個体ＩＤを格納するためのフィールド５０１、ＩＳＢＮを格納するためのフィールド５０２、アクティベーションフラグの値（ＯＮ／ＯＦＦ）を格納するためのフィールド５０３、電子化回数を格納するためのフィールド５０４、電子化上限数を格納するためのフィールド５０５を備える。
【００３６】
ここで、Ｎ個の書籍個体ＩＤの新規登録時においては、書籍情報管理テーブル５００の末尾にＮ個の行が追加され、追加された各行のフィールド５０１に新たに発行した書籍個体ＩＤを１つずつ格納するとともに、追加した全行のフィールド５０２にＳ１で出版社から通知されたＩＳＢＮを格納する。
【００３７】
一方、書籍個体ＩＤの新規登録時においては、アクティベーションフラグ（フィールド５０３）の値は一律ＯＦＦとされ、電子化回数（フィールド５０４）の値は一律ゼロとされる。また、電子化上限数（フィールド５０５）には、Ｓ１で出版社から通知された電子化上限数が格納される。ここで、アクティベーションフラグは、本システムの利用の可否を表すフラグであり、アクティベーションフラグが果たす具体的な役割については後述する。
【００３８】
紙版書籍情報管理部１０２は、発行された書籍個体ＩＤとその関連情報の登録を完了すると、発行された書籍個体ＩＤを出版社に対して送信する（Ｓ４）。これを受けて出版社は、紙版書籍のＩＳＢＮ、発行部数および当該発行部数と同じ数の書籍個体ＩＤを印刷所に通知して、当該紙版書籍の印刷を依頼する（Ｓ５）。なお、出版社は、電子書籍販売仲介システム１００が提供する所定の入力フォームを介して印刷所への印刷依頼を送信してもよいし、電子書籍販売仲介システム１００が指定する所定の専用メールアドレスに宛てて印刷所への印刷依頼を電子メールで送信してもよい。
【００３９】
出版社から印刷依頼を受けた印刷所は、通知された部数の紙版書籍を印刷する際に、各個体に対して通知された書籍個体ＩＤを付与する（Ｓ６）。なお、ここでいう“書籍個体ＩＤの付与”には、紙版書籍の本体またはカバーに書籍個体ＩＤを直接印刷する態様の他、書籍個体ＩＤを印刷したシールを紙版書籍の本体またはカバーに貼付する態様が含まれる。
【００４０】
また、書籍個体ＩＤの印刷は、予め決められた所定の方法に従って行われる。その方法として想定される最も単純なのものは、書籍個体ＩＤ（数列）をそのままテキストとして印刷する方法であるが、後の作業性を考慮して、装置による自動読み取りが可能になるように、書籍個体ＩＤ（数列）を任意の方式でコード化したものを印刷することが好ましい。この場合、そのコード化は、印刷所が実施するようにしてもよいし、出版社側がそれを行い、印刷所にはコード化された書籍個体ＩＤを提供するようにしてもよいし、電子書籍販売仲介システム１００がコード化された書籍個体ＩＤを出版社に提供するようにしてもよい。
【００４１】
図６は、コード化された書籍個体ＩＤを印刷した紙版書籍を例示的に示す。図６に示す例では、書籍個体ＩＤがＱＲコード（登録商標。以下同様。）に変換された状態で紙版書籍の裏表紙の右下角に印刷されている。なお、書籍個体ＩＤのコード化方式は、ＱＲコードに限らず、他のコード（他の２次元コード、バーコード等の１次元コード）であってもよいし、その印刷位置も表表紙、背表紙、奥付など、任意の場所であってよい。
【００４２】
以上、紙版書籍の出版時に実行される処理について説明してきたが、上述した手順で出版された紙版書籍は、各種の販路を流通して新刊書店に供給され、ユーザの購入を待つ。そこで、以下では、新刊書店において紙版書籍が定価販売される際に実行される処理を図７に示すシーケンス図に基づいて説明する。なお、以下では、説明の便宜上、書籍個体ＩＤをＱＲコードとして紙版書籍に印刷した実施形態について説明を行うが、本発明が書籍個体ＩＤの付与方法を限定するものではないことはいうまでもない。
【００４３】
ユーザが新刊書店で所望の新刊書籍（紙版書籍）を選択し、その購入をレジに申し出ると（Ｓ１）、新刊書店の店員は、紙版書籍に印刷されたＱＲコードを専用装置でデコードして書籍個体ＩＤを取得する（Ｓ２）。新刊書店は、取得した書籍個体ＩＤと当該新刊書店の認証情報を含むフラグ有効化要求を電子書籍販売仲介システム１００に送信する（Ｓ３）。
【００４４】
電子書籍販売仲介システム１００がフラグ有効化要求を受信したことに応じて、紙版書籍情報管理部１０２は、受信したフラグ有効化要求に含まれる新刊書店の認証情報に基づいてその送信元の新刊書店の正当性を確認する認証処理を実行する（Ｓ４）。認証処理により送信元の新刊書店の正当性が確認された後、紙版書籍情報管理部１０２は、フラグ有効化要求に含まれる書籍個体ＩＤをキーとして書籍情報管理テーブル５００（図５参照）を検索し、当該書籍個体ＩＤに紐付いたアクティベーションフラグ（フィールド５０３）の値をＯＦＦからＯＮに切り替える（Ｓ５）。その後、紙版書籍情報管理部１０２は、フラグ有効化が完了した旨を新刊書店に通知する（Ｓ６）。新刊書店においては、フラグ有効化の完了が適切な方法で表示され、新刊書店の店員は、当該表示を確認した後に、紙版書籍をユーザに定価で譲渡する（Ｓ７）。
【００４５】
なお、新刊書店側でＱＲコードをデコードして書籍個体ＩＤを取得する代わりに、電子書籍販売仲介システム１００側でＱＲコードをデコードして書籍個体ＩＤを取得するようにしてもよい。この場合、新刊書店の店員は、ユーザからの購入の申し出を受けて、紙版書籍に印刷されたＱＲコードを撮影する。そして、新刊書店は、ＱＲコードの撮影画像と当該新刊書店の認証情報を含むフラグ有効化要求を電子書籍販売仲介システム１００に送信する。新刊書店からフラグ有効化要求を受信した電子書籍販売仲介システム１００は、受信したフラグ有効化要求に含まれるＱＲコードの撮影画像を解析して書籍個体ＩＤを取得する。
【００４６】
以上、新刊書店において紙版書籍が定価販売される際に実行される処理について説明してきたが、ここで、電子書籍販売仲介システム１００のユーザ登録時において実行される処理について説明する。
【００４７】
電子書籍販売仲介システム１００のユーザ登録時において、ユーザ情報登録部１０４は、所定のユーザ登録画面を提供する。図８は、ユーザ情報登録部１０４が提供するユーザ登録画面を例示的に示す。図８（ａ）に示すように、ユーザ登録画面には、最初に、電子書籍販売仲介システム１００を利用する電子書籍販売店（Ｗｅｂ店舗）のリストが選択可能に表示される。ユーザは、ユーザ登録画面にリストアップされた電子書籍販売店の中から、自身が既にアカウントを有する１以上の電子書籍販売店を選択する。
【００４８】
電子書籍販売店の選択が終了すると、ユーザ登録画面は、図８（ｂ）に示すアカウント情報の入力画面に遷移する。ユーザは、アカウント情報入力画面において、選択した電子書籍販売店のアカウント情報（ユーザＩＤ、パスワード）を入力する。アカウント情報の入力が終了すると、ユーザ登録画面は、図８（ｃ）に示すメールアドレスの入力画面に遷移する。ユーザは、メールアドレス入力画面において自身の連絡先メールアドレスを入力する。
【００４９】
必要な情報の選択・入力が完了すると、ユーザ情報登録部１０４は、ユーザが選択・入力した情報を図９に例示的に示すユーザ情報登録テーブル６００に登録する。ここで、ユーザ情報登録テーブル６００は、図９に示すように、ユーザＩＤを格納するためのフィールド６０１、電子書籍販売店の識別情報（名称等）を格納するためのフィールド６０２、電子書籍販売店用のアカウント情報（ユーザＩＤとパスワード）を格納するためのフィールド６０３、電子書籍販売店のＵＲＬを格納するためのフィールド６０４、ユーザのメールアドレスを格納するためのフィールド６０５を備える。図９に示すユーザ情報登録テーブル６００から、“user1”というユーザＩＤを持つユーザが電子書籍の購入先候補として、“Ａ社”、“Ｂ社”、“Ｃ社”、“Ｄ社”という４つの電子書籍販売店（Ｗｅｂ店舗）を登録していることが見て取れる。
【００５０】
以上、電子書籍販売仲介システム１００のユーザ登録時において実行される処理について説明したが、続いて、紙版書籍の所有者が当該紙版書籍に対応する電子書籍を購入するシナリオにおいて実行される処理を図１０および図１１に示すシーケンス図に基づいて説明する。なお、以下では、このような購入方法を“追加購入“と呼ぶ。
【００５１】
以前に新刊書店で定価購入した紙版書籍に対応する電子書籍を優待価格で購入したいと考えるユーザは、スマートフォン１０を操作して電子書籍販売仲介システム１００にログインする（Ｓ１）。図８（ａ）は、スマートフォン１０のディスプレイ３０８に表示されるログイン画面を例示的に示す。ユーザが図８（ａ）に示すログイン画面においてユーザＩＤとパスワードを入力してログインボタンをタッチすると、スマートフォン１０は、入力されたユーザＩＤとパスワードを含むログイン要求を電子書籍販売仲介システム１００に送信する（Ｓ２）。
【００５２】
電子書籍販売仲介システム１００がスマートフォン１０から送信されたログイン要求を受信すると、ユーザ認証部１１０は、受信したログイン要求に含まれるユーザＩＤとパスワードに基づいてユーザ認証を行う（Ｓ３）。そして、認証に成功すると、電子書籍注文受付部１０５がサービスメニュー画面をスマートフォン１０に送信する（Ｓ４）。
【００５３】
スマートフォン１０が電子書籍注文受付部１０５から送信されたサービスメニュー画面を受信すると、スマートフォン１０は、受信したサービスメニュー画面をディスプレイ３０８に表示する（Ｓ５）。図８（ｂ）は、スマートフォン１０のディスプレイ３０８に表示されるサービスメニュー画面を例示的に示す。図８（ｂ）に示すサービスメニュー画面においては、「追加購入」と「交換購入」という２つのメニューがラジオボタンで択一的に選択可能に表示される。ユーザが「追加購入」を選択してＯＫボタンをタッチすると（Ｓ６）、スマートフォン１０の画面は、ＱＲコード読み取り機能を利用したＱＲコード読み取り画面に遷移する（Ｓ７）。図８（ｃ）は、スマートフォン１０のディスプレイ３０８に表示されるＱＲコード読み取り画面を例示的に示す。
【００５４】
ディスプレイ３０８にＱＲコード読み取り画面が表示されたことを受けて、ユーザは、スマートフォン１０を操作して以前に新刊書店で購入した紙版書籍に印刷されたＱＲコードを撮影する（Ｓ８）。スマートフォン１０のＱＲコード読み取り機能は、撮影されたＱＲコードをデコードして書籍個体ＩＤを取得する（Ｓ９）。そして、スマートフォン１０は、取得した書籍個体ＩＤと選択された購入方法（この場合、「追加」）を含む電子書籍購入要求を生成し、生成した電子書籍購入要求を電子書籍販売仲介システム１００に送信する（Ｓ１０）。
【００５５】
電子書籍販売仲介システム１００がスマートフォン１０から電子書籍購入要求を受信したことに応じて、電子書籍注文受付部１０５は、当該電子書籍購入要求に含まれる書籍個体ＩＤをキーとして書籍情報管理テーブル５００（図５参照）を検索する（Ｓ１１）。次に、検索した書籍個体ＩＤに紐付いたアクティベーションフラグ（フィールド５０３）の値がＯＮになっているか否かを判断する（Ｓ１２）。ここで、その判断の結果、アクティベーションフラグの値がＯＮになっていない場合、電子書籍注文受付部１０５は、取り扱いができない旨のメッセージを生成し、生成したメッセージをスマートフォン１０に送信する。スマートフォン１０は、ディスプレイ３０８に受信したメッセージを表示する。図１３（ａ）は、その場合に、スマートフォン１０のディスプレイ３０８に表示されるメッセージ画面を例示的に示す。
【００５６】
ここで、アクティベーションフラグが果たす役割について説明する。上述した説明から理解されるように、本実施形態においては、新刊書籍が店内に陳列されている間、電子書籍販売仲介システム１００内では、当該新刊書籍に係る書籍個体ＩＤに紐付いたアクティベーションフラグがＯＦＦに維持される。従って、仮に、悪意の第三者が未購入の新刊書籍のＱＲコードを撮影して書籍個体ＩＤを取得し、取得した電子書籍購入要求を電子書籍販売仲介システム１００に送信したとしても、上述したＳ１１における判断を経て、その要求は拒否されることになる。つまり、本実施形態においては、アクティベーションフラグの存在により、本システムの不正利用が防止される。
【００５７】
一方、スマートフォン１０から受信した電子書籍購入要求に含まれる書籍個体ＩＤに紐付いたアクティベーションフラグの値がＯＮになっていた場合、電子書籍注文受付部１０５は、スマートフォン１０から受信した電子書籍購入要求に含まれる書籍個体ＩＤをキーとして書籍情報管理テーブル５００（図５参照）を検索し、当該書籍個体ＩＤに紐付いた電子化回数（フィールド５０４）の値が電子化上限数（フィールド５０５）の値に達しているか否かを判断する（Ｓ１３）。その結果、電子化回数が電子化上限数に達していた場合は、電子書籍注文受付部１０５は、電子書籍を優待価格で販売できない旨のメッセージを生成し、生成したメッセージをスマートフォン１０に送信する。そして、スマートフォン１０は、ディスプレイ３０８に受信したメッセージを表示する。図１３（ｂ）は、その場合に、スマートフォン１０のディスプレイ３０８に表示されるメッセージ画面を例示的に示す。
【００５８】
一方、当該書籍個体ＩＤに紐付いた電子化回数が電子化上限数に達していない場合、電子書籍注文受付部１０５は、スマートフォン１０から受信した電子書籍購入要求に含まれる書籍個体ＩＤからＩＳＢＮを取得する（Ｓ１４）。具体的には、書籍個体ＩＤ（数列）の先頭１３桁の数列をＩＳＢＮとして抽出する。その後、電子書籍注文受付部１０５は、抽出したＩＳＢＮとユーザが選択した購入方法（この場合「追加」）を含む電子書籍の問い合わせを生成し、生成した電子書籍の問い合わせを電子書籍購入要求の送信元のユーザが予め登録しておいた１以上の電子書籍販売店（Ｗｅｂ店舗）に宛てて送信する（Ｓ１５）。ここで、電子書籍の問い合わせとは、本システムが提供するビジネスプラットフォームに参加する電子書籍販売店（Ｗｅｂ店舗）が、当該プラットフォームの規約に基づいて優待価格で販売する電子書籍に係る情報（その内容と販売価格）を問い合わせるものであり、電子書籍注文受付部１０５は、ユーザ情報登録テーブル６００（図９参照）を参照して電子書籍の問い合わせ先を決定し、当該問い合わせ先に電子書籍の問い合わせを送信する。
【００５９】
ここで、Ｓ１０における電子書籍購入要求の送信元のユーザのユーザＩＤが“user1”であった場合、電子書籍注文受付部１０５は、“user1”をキーとして、ユーザ情報登録テーブル６００を検索した結果、“user1”に紐付けられた４つの電子書籍販売店（Ａ社、Ｂ社、Ｃ社、Ｄ社）のＵＲＬに宛てて電子書籍の問い合わせを送信する。
【００６０】
各電子書籍販売店は、受信した電子書籍の問い合わせに含まれるＩＳＢＮに対応する電子書籍のＩＳＢＮ（電子書籍のＩＳＢＮは、紙版書籍のそれとは別の固有の値が付与される）と、当該問い合わせに含まれる購入方法（この場合「追加」）に応じた優待価格を検索する（Ｓ１６）。そして、各電子書籍販売店は、検索した優待価格を検索結果として電子書籍販売仲介システム１００に送信する（Ｓ１７）。
【００６１】
電子書籍販売仲介システム１００が各電子書籍販売店から検索結果を受信したことに応じて、電子書籍注文受付部１０５は、当該検索結果に基づいて販売元選択画面を生成する（Ｓ１８）。次に、電子書籍注文受付部１０５は、生成した販売元選択画面をスマートフォン１０に送信する（Ｓ１９）。そして、スマートフォン１０は、電子書籍注文受付部１０５から送信された販売元選択画面をディスプレイ３０８に表示する（Ｓ２０）。
【００６２】
図１４（ａ）は、スマートフォン１０に表示される販売元選択画面を例示的に示す。図１４（ａ）に示す販売元選択画面においては、４つの電子書籍販売店（Ａ社、Ｂ社、Ｃ社、Ｄ社）が電子書籍の優待価格とともに表示されており、ユーザが価格を見比べて所望の電子書籍販売店をラジオボタンで択一的に選択できるようになっている。
【００６３】
図１１に基づいて説明を続ける。ここで、ユーザが販売元選択画面において最も低い価格を提示する「Ｂ社」を電子書籍の販売元として選択し、ＯＫボタンをタッチすると（Ｓ２０）、スマートフォン１０は、ユーザが選択した販売元「Ｂ社」を電子書籍販売仲介システム１００に通知する（Ｓ２１）。
【００６４】
電子書籍販売仲介システム１００がスマートフォン１０から販売元の通知を受けたことに応じて、代理注文部１０６は、当該通知元のユーザのユーザＩＤと通知された販売元をキーとしてユーザ情報登録テーブル６００（図９参照）を検索し、代理認証に必要な情報を取得する（Ｓ２２）。具体的には、ユーザＩＤ（この場合、user1）と通知された販売元（この場合、「Ｂ社」）をキーとしてユーザ情報登録テーブル６００を検索し、これらに紐付いた「Ｂ社」のアカウント情報（ユーザＩＤ：USER1，パスワード：Abcd1234）と「Ｂ社」のＵＲＬ（http://www.bbb.co.jp/…）を取得する。
【００６５】
続いて、代理認証部１０７は、取得したアカウント情報（ユーザＩＤ：USER1，パスワード：Abcd1234）を含むログイン要求を「Ｂ社」のＵＲＬに宛てて送信する（Ｓ２３）。これを受けて、「Ｂ社」は、ログイン要求に含まれるアカウント情報に基づいてユーザ認証を行い（Ｓ２４）、ログイン成功（認証チケット）を代理認証部１０７に返す（Ｓ２５）。
【００６６】
代理認証部１０７が代理認証によるログインに成功したことを受けて、代理注文部１０６は、電子書籍の注文情報を「Ｂ社」に送信する（Ｓ２６）。当該注文情報には、電子書籍（この場合、「○×△□の歴史」）のＩＳＢＮと、追加購入の根拠である紙版書籍に付与された書籍個体ＩＤと、割引指示情報とが含まれる。本実施形態における割引指示情報は、ユーザが選択した購入方法（この場合、「追加」）と、ログイン中のユーザが優待価格で電子書籍を購入する権利を有することを証明する証明書とを含む。
【００６７】
「Ｂ社」は、電子書籍販売仲介システム１００から受信した注文情報に含まれる割引指示情報の内容から、証明書の存在と購入方法（この場合、「追加」）を確認すると（Ｓ２７）、当該購入方法に応じた注文受付処理を実行する（Ｓ２８）。ここでいう注文受付処理とは、注文された商品（この場合、「○×△□の歴史（電子書籍版）」）をいわゆる“買い物かご”に入れる処理を意味し、このとき、「Ｂ社」は、通常価格５００円の「○×△□の歴史（電子書籍版）」を、追加購入による優待価格“１００円”で“買い物かご”に入れる処理を実行する。
【００６８】
その後、「Ｂ社」は、注文内容確認画面を生成し（Ｓ２９）、当該注文内容確認画面のＵＲＬを注文情報の送信元である電子書籍販売仲介システム１００に送信する（Ｓ３０）。これを受けて、代理注文部１０６は、当該注文内容確認画面のＵＲＬをリダイレクト先に指定したリダイレクト指示を生成し、Ｓ２５で受信した認証チケットと当該リダイレクト指示をスマートフォン１０に送信する（Ｓ３１）。リダイレクト指示を受信したスマートフォン１０は、「Ｂ社」に対して認証チケットを送信して注文内容確認画面のＵＲＬにリダイレクトする（Ｓ３２）。これを受けて、「Ｂ社」は、当該注文内容確認画面をスマートフォン１０に送信する（Ｓ３３）。スマートフォン１０は、「Ｂ社」から受信した注文内容確認画面をディスプレイ３０８に表示する（Ｓ３４）。
【００６９】
図１４（ｂ）は、スマートフォン１０のディスプレイ３０８に表示される注文内容確認画面を例示的に示す。図１４（ｂ）に示す注文内容確認画面においては、「○×△□の歴史（電子書籍版）」のイメージとその価格“￥１００”が“現在「○×△□の歴史」をお持ちの方に適用される優待価格です！”というメッセージとともに表示されている。
【００７０】
スマートフォン１０のディスプレイ３０８に表示された注文内容確認画面を確認したユーザが「レジに進む」ボタンをタッチすると、スマートフォン１０に「Ｂ社」の決済用画面が表示される。ここで、ユーザが「Ｂ社」が表示する決済用画面の案内に従って「○×△□の歴史（電子書籍版）」注文を確定し、決済に必要な操作を実行すると（Ｓ３５）、スマートフォン１０から「Ｂ社」に決済情報が送信される（Ｓ３６）。これを受けて、「Ｂ社」は、決済処理を実行した後（Ｓ３７）、決済が成功した場合はその旨をスマートフォン１０に通知する（Ｓ３８）。その後、ユーザは、所望のタイミングで「Ｂ社」が提供する所定のダウンロード画面にアクセスして「○×△□の歴史（電子書籍版）」をダウンロードする。
【００７１】
なお、本実施形態において、電子書籍販売仲介システム１００は、代理注文部１０６が電子書籍の注文情報を「Ｂ社」に送信して以降の先の注文確定とその決済に関しては一切関与するものではなく、買い物かごに入った「○×△□の歴史（電子書籍版）」の注文確定とその決済は、スマートフォン１０と「Ｂ社」の間で直接的になされる。
【００７２】
「Ｂ社」は、「○×△□の歴史（電子書籍版）」の優待割引販売に係るユーザとのセッションが終了した時点で、「○×△□の歴史（電子書籍版）」に係る決済結果を電子書籍販売仲介システム１００に送信する（Ｓ３９）。具体的には、「Ｂ社」は、当該販売に係る決済処理が完了した場合には、当該販売に係る書籍個体ＩＤと決済完了の旨および決済金額を含む決済結果を電子書籍販売仲介システム１００に送信する。一方、注文の取消しやその他の理由により決済処理が完了しなかった場合には、当該販売に係る書籍個体ＩＤと決済未完の旨を含む決済結果を電子書籍販売仲介システム１００に送信する。
【００７３】
電子書籍販売仲介システム１００が決済結果を受信したことに応じて、決済確認部１０８は、当該決済結果を確認し、その内容に応じて書籍情報管理テーブル５００を更新する（Ｓ４０）。具体的には、決済結果が“決済未完”であった場合には、決済確認部１０８は、書籍情報管理テーブル５００の更新を行わない。一方、決済結果が“決済完了”であった場合には、決済確認部１０８は、当該決済結果に含まれる書籍個体ＩＤをキーとして書籍情報管理テーブル５００を検索し、当該書籍個体ＩＤに紐付いた電子化回数（フィールド５０４）の値をインクリメントする。
【００７４】
さらに、決済確認部１０８は、決済結果が“決済完了”であった場合にその旨と決済金額を課金情報更新部１０９に通知する。これを受けて、課金情報更新部１０９は、課金情報を更新する（Ｓ４１）。なお、課金情報の詳細については後述する。
【００７５】
以上、説明したように、本実施形態によれば、販売元の垣根を超えて、紙版書籍の所有者に電子書籍を優待価格で販売するという新しい仕組みが提供される。この仕組みは、電子書籍の潜在需要を惹起することが期待される。
【００７６】
以上、ユーザが追加購入によって電子書籍を購入する際に実行される処理について説明してきたが、本システムが提供する電子書籍割引販売スキームは、中古書籍にまでその適用範囲を広げることができる。以下では、電子書籍割引販売スキームを中古書籍に適用する場合において、中古書籍販売店（以下、古書店という）が紙版書籍を買い取る際、ならびに、古書店が中古書籍（以下、古本という）を販売する際に実行される処理を図１５に示すシーケンス図に基づいて説明する。
【００７７】
最初に、古書店が古本を買い取る際に実行される処理を説明する。
【００７８】
ユーザが古書店に古本の買取を申し込むと（Ｓ１）、古書店の店員は、古本（紙版書籍）に印刷されたＱＲコードを専用装置でデコードして、書籍個体ＩＤを取得する（Ｓ２）。古書店は、取得した書籍個体ＩＤと古書店の認証情報を含むフラグ無効化要求を電子書籍販売仲介システム１００に送信する（Ｓ３）。
【００７９】
電子書籍販売仲介システム１００がフラグ無効化要求を受信したことに応じて、紙版書籍情報管理部１０２は、当該フラグ無効化要求に含まれる古書店の認証情報に基づいてその送信元の正当性を確認する（Ｓ４）。フラグ無効化要求の送信元の正当性が確認された場合、紙版書籍情報管理部１０２は、当該フラグ無効化要求に含まれる書籍個体ＩＤをキーとして書籍情報管理テーブル５００（図５参照）を検索し、当該書籍個体ＩＤに紐付いたアクティベーションフラグ（フィールド５０３）の値をＯＮからＯＦＦに切り替えた後（Ｓ５）、フラグ無効化が完了した旨を古書店に通知する（Ｓ６）。古書店においては、フラグ無効化の完了が適切な方法で表示され、古書店の店員は、当該表示を確認した後に、フラグ無効化済みの古本を店内に陳列して販売に供する。
【００８０】
次に、古書店が古本を販売する際に実行される処理を説明する。
【００８１】
ユーザが古書店で古本の購入を申し出ると（Ｓ７）、古書店の店員は、古本（紙版書籍）に印刷されたＱＲコードを専用装置でデコードして、書籍個体ＩＤを取得する（Ｓ８）。古書店は、取得した書籍個体ＩＤと古書店の認証情報を含むフラグ有効化要求を電子書籍販売仲介システム１００に送信する（Ｓ９）。
【００８２】
電子書籍販売仲介システム１００がフラグ有効化要求を受信したことに応じて、紙版書籍情報管理部１０２は、当該フラグ有効化要求に含まれる古書店の認証情報に基づいてその送信元の正当性を確認する（Ｓ１０）。フラグ有効化要求の送信元の正当性が確認された場合、紙版書籍情報管理部１０２は、当該フラグ有効化要求に含まれる書籍個体ＩＤをキーとして書籍情報管理テーブル５００（図５参照）を検索し、当該書籍個体ＩＤに紐付いたアクティベーションフラグ（フィールド５０３）の値をＯＦＦからＯＮに切り替えた後（Ｓ１１）、フラグ有効化が完了した旨を古書店に通知する（Ｓ１２）。古書店においては、フラグ有効化の完了が適切な方法で表示され、古書店の店員は、当該表示を確認した後に、古本（紙版書籍）をユーザに中古価格で譲渡する（Ｓ１３）。
【００８３】
この後、古書店で古本（紙版書籍）を購入したユーザが当該紙版書籍に対応する電子書籍を購入する際に実行される処理は、図１０および図１１に示すシーケンス図に基づいて説明した内容と同じであるのでここではこれ以上の説明を省略する。つまり、図１５に示した処理は、本システムの不正利用を排除するためのものであり、上述した処理を実施することにより、古本が店内に陳列されている間、電子書籍販売仲介システム１００内では、当該古本（紙版書籍）に係る書籍個体ＩＤに紐付いたアクティベーションフラグがＯＦＦに維持されるので、仮に、悪意の第三者が未購入の古本のＱＲコードから書籍個体ＩＤを盗取して、電子書籍販売仲介システム１００に対して電子書籍購入要求を送信したとしても、その要求は拒否されることになる。
【００８４】
以上、本システムの電子書籍割引販売スキームを古本販売に適用した場合に実行される処理について説明してきたが、続いて、紙版書籍の所有者が当該紙版書籍の所有権を放棄しその回収に応じることを条件に、当該紙版書籍に対応する電子書籍を購入するシナリオにおいて実行される処理を図１６、図１７および図１８に示すシーケンス図に基づいて説明する。なお、以下では、このような購入方法を“交換購入“と呼ぶ。
【００８５】
図１６に基づいて説明する。手元にある紙版書籍を処分し、その代わりに当該紙版書籍に対応する電子書籍を優待価格で購入したいと考えるユーザは、スマートフォン１０を操作して電子書籍販売仲介システム１００にログインする（Ｓ１）。これを受けて、スマートフォン１０は、ログイン要求を電子書籍販売仲介システム１００に送信する（Ｓ２）。電子書籍販売仲介システム１００は、ログイン要求を受信したことに応じてユーザ認証を行い（Ｓ３）、認証に成功すると、電子書籍注文受付部１０５がサービスメニュー画面をスマートフォン１０に送信する（Ｓ４）。
【００８６】
これを受けて、スマートフォン１０は、図８（ｂ）に例示するサービスメニュー画面をディスプレイ３０８に表示する（Ｓ５）。ここで、ユーザが「交換購入」を選択してＯＫボタンをタッチすると（Ｓ６）、スマートフォン１０がＱＲコード読み取り画面を表示する（Ｓ７）。
【００８７】
ディスプレイ３０８にＱＲコード読み取り画面が表示されたことを受けて、ユーザは、スマートフォン１０を操作して自身が所有する紙版書籍に印刷されたＱＲコードを撮影する（Ｓ８）。スマートフォン１０のＱＲコード読み取り機能は、撮影されたＱＲコードをデコードして書籍個体ＩＤを取得し（Ｓ９）、当該書籍個体ＩＤと選択された購入方法（この場合、「交換」）を含む電子書籍購入要求を生成して、電子書籍販売仲介システム１００に送信する（Ｓ１０）。
【００８８】
電子書籍販売仲介システム１００がスマートフォン１０から電子書籍購入要求を受信したことに応じて、電子書籍注文受付部１０５は、当該電子書籍購入要求に含まれる書籍個体ＩＤと当該電子書籍購入要求の送信元ユーザのユーザＩＤを含む紙版書籍回収予約要求を生成して書籍回収センターに送信する（Ｓ１１）。書籍回収センターは、電子書籍販売仲介システム１００から受信した紙版書籍回収予約要求に含まれる書籍個体ＩＤとユーザＩＤを紐づけて紙版書籍の回収予約リストに登録した後（Ｓ１２）、紙版書籍回収予約が完了した旨を電子書籍販売仲介システム１００に通知する（Ｓ１３）。
【００８９】
電子書籍販売仲介システム１００が当該通知を受けたことに応じて、電子書籍注文受付部１０５は、Ｓ１１で送信した紙版書籍回収予約要求に含まれるユーザＩＤを図１９に例示的に示す書籍回収状況管理テーブル７００に登録する。ここで、書籍回収状況管理テーブル７００は、ユーザＩＤを格納するためのフィールド７０１、ステータスを格納するためのフィールド７０２、販売元選択画面の保存先パスを格納するためのフィールド７０３を備えており、電子書籍注文受付部１０５は、図１９（ａ）に示すように、フィールド７０１にユーザＩＤ（この場合、user1）を格納し、user1に紐付いたフィールド７０２に”書籍回収待ち”を格納する（Ｓ１４）。
【００９０】
その後、電子書籍注文受付部１０５は、交換予約受付完了画面を生成し（Ｓ１５）、スマートフォン１０に送信する（Ｓ１６）。
【００９１】
スマートフォン１０は、電子書籍販売仲介システム１００から受信した交換予約受付完了画面をディスプレイ３０８に表示する（Ｓ１７）。図２０は、スマートフォン１０のディスプレイ３０８に表示される交換予約受付完了画面を例示的に示す。図２０に示す例では、交換予約受付完了画面に、“交換のご予約を承りました”というメッセージとともに、紙版書籍の送付先の案内が表示されている。
【００９２】
図１７に基づいて説明を続ける。ユーザは、スマートフォン１０のディスプレイ３０８で交換予約の受付を確認した後、交換対象となる紙版書籍を案内された書籍回収センターに宛てて発送する（Ｓ１８）。書籍回収センターの係員は、到着した紙版書籍に印刷されたＱＲコードを専用装置でデコードして書籍個体ＩＤを取得し、取得した書籍個体ＩＤに対応する紙版書籍の回収予約リストのチェック欄を“回収済”にする紙版書籍回収処理を実行する（Ｓ１９）。その後、書籍回収センターは、紙版書籍の回収予約リストにおいて当該書籍個体ＩＤとこれに紐づいたユーザＩＤを含む紙版書籍回収完了情報を電子書籍販売仲介システム１００に送信する（Ｓ２０）。
【００９３】
電子書籍販売仲介システム１００が書籍回収センターから紙版書籍回収完了情報を受信したことに応じて、電子書籍注文受付部１０５は、当該紙版書籍回収完了情報に含まれるユーザＩＤをキーとして書籍回収状況管理テーブル７００を検索し、当該ユーザＩＤに紐付いたステータス（フィールド７０２）の値を“書籍回収待ち”から“書籍回収済み”に変更するとともに（Ｓ２１）、書籍情報管理テーブル５００において、当該紙版書籍回収完了情報に含まれる書籍個体ＩＤに紐付いた電子化回数（フィールド５０４）を初期化（０にリセット）する（Ｓ２２）。
【００９４】
続いて、電子書籍注文受付部１０５は、当該書籍個体ＩＤからＩＳＢＮを取得し（Ｓ２３）、取得したＩＳＢＮとユーザが選択した購入方法（この場合「交換」）を含む電子書籍の問い合わせを生成する。電子書籍注文受付部１０５は、生成した問い合わせを紙版書籍回収完了情報に含まれるユーザＩＤに係るユーザが登録する１以上の電子書籍販売店（Ｗｅｂ店舗）に宛てて送信する（Ｓ２４）。
【００９５】
この場合、電子書籍注文受付部１０５は、“user1”をキーとして、ユーザ情報登録テーブル６００（図９参照）を検索し、“user1”に紐付けられた４つの電子書籍販売店（Ａ社、Ｂ社、Ｃ社、Ｄ社）のＵＲＬに宛てて電子書籍の問い合わせを送信する。
【００９６】
各電子書籍販売店は、受信した電子書籍の問い合わせに含まれるＩＳＢＮに対応する電子書籍のＩＳＢＮと、当該問い合わせに含まれる購入方法（この場合「交換」）に応じた優待価格を検索し（Ｓ２５）、その結果を電子書籍販売仲介システム１００に送信する（Ｓ２６）。
【００９７】
電子書籍販売仲介システム１００が各電子書籍販売店から検索結果を受信したことに応じて、電子書籍注文受付部１０５は、当該検索結果に基づいて販売元選択画面を生成・保存した後（Ｓ２７）、書籍回収状況管理テーブル７００のユーザＩＤ“user1”に紐付いたフィールド７０３に当該販売元選択画面の保存先パスを格納する（Ｓ２８）。
【００９８】
その後、電子書籍注文受付部１０５は、“user1”をキーとしてユーザ情報登録テーブル６００（図９参照）を検索し、“user1”に紐付けられたスマートフォン１０のメールアドレス（この場合、“user1@email.com）に宛てて電子書籍の購入の準備が完了した旨を電子メールで通知する（Ｓ２９）。
【００９９】
図１８に基づいて説明を続ける。電子メールで電子書籍の購入準備完了通知を受け取ったユーザは、スマートフォン１０を操作して電子書籍販売仲介システム１００にログインする（Ｓ１）。これを受けて、スマートフォン１０は、ログイン要求を電子書籍販売仲介システム１００に送信する（Ｓ２）。電子書籍販売仲介システム１００は、ログイン要求を受信したことに応じてユーザ認証を行い（Ｓ３）、認証に成功すると、電子書籍注文受付部１０５は、ログインユーザのユーザＩＤ（この場合、“user1”）をキーとして、書籍回収状況管理テーブル７００を検索し、ユーザＩＤ“user1”に紐付いたフィールド７０３に格納された販売元選択画面の保存先パスを取得する。電子書籍注文受付部１０５は、取得したパスにアクセスして販売元選択画面を取得し（Ｓ４）、当該販売元選択画面をスマートフォン１０に送信する（Ｓ５）。
【０１００】
スマートフォン１０は、電子書籍販売仲介システム１００から受信した販売元選択画面をディスプレイ３０８に表示する（Ｓ６）。図２１（ａ）および（ｂ）は、Ｓ６でスマートフォン１０に表示される販売元選択画面を例示的に示す。この例では、まず、ユーザに対して図２１（ａ）に示すように、“「○×△□の歴史（電子書籍版）」を優待価格で購入することができます。”というメッセージとともに、「今すぐ購入する」と「後で購入する」という２つのメニューがラジオボタンで択一的に選択可能に表示される。ここで、ユーザが「今すぐ購入する」を選択してＯＫボタンをタッチすると、図２１（ｂ）に示す販売元選択画面に遷移する。続いて、ユーザが販売元選択画面において最も低い価格を提示する「Ｃ社」を電子書籍の販売元として選択し、ＯＫボタンをタッチすると（Ｓ７）、スマートフォン１０は、ユーザが選択した販売元「Ｃ社」を電子書籍販売仲介システム１００に通知する（Ｓ８）。
【０１０１】
電子書籍販売仲介システム１００がスマートフォン１０から販売元の通知を受けたことに応じて、代理注文部１０６は、当該通知元のユーザのユーザＩＤと通知された販売元をキーとしてユーザ情報登録テーブル６００を検索し、代理認証に必要な情報を取得する（Ｓ９）。具体的には、ユーザＩＤ“user1”と通知された販売元「Ｃ社」をキーとしてユーザ情報登録テーブル６００を検索し、これらに紐付いた「Ｃ社」のアカウント情報（ユーザＩＤ：user1@email.com，パスワード：12341234）と「Ｃ社」のＵＲＬ（http://www.ccc.co.jp/…）を取得する。
【０１０２】
続いて、代理認証部１０７は、取得したアカウント情報（ユーザＩＤ：user1@email.com，パスワード：12341234）を含むログイン要求を「Ｃ社」のＵＲＬに宛てて送信する（Ｓ２３）。これを受けて、「Ｃ社」は、ログイン要求に含まれるアカウント情報に基づいてユーザ認証を行い（Ｓ１１）、ログイン成功（認証チケット）を代理認証部１０７に返す（Ｓ１２）。
【０１０３】
代理認証部１０７が代理認証によるログインに成功したことを受けて、代理注文部１０６は、電子書籍の注文情報を「Ｃ社」に送信する（Ｓ１３）。当該注文情報には、電子書籍（この場合、「○×△□の歴史」）のＩＳＢＮと、割引きの根拠となる紙版書籍に付与された書籍個体ＩＤと、割引指示情報が含まれる。当該割引指示情報は、ユーザが選択した購入方法（この場合、「交換」）と、ログイン中のユーザが優待価格で電子書籍を購入する権利を有することを証明する証明書を含む。
【０１０４】
「Ｃ社」は、電子書籍販売仲介システム１００から受信した注文情報に含まれる割引指示情報の内容から、証明書の存在と購入方法（この場合、「交換」）を確認すると（Ｓ１４）、当該購入方法に応じた注文された商品（この場合、「○×△□の歴史（電子書籍版）」）をいわゆる“買い物かご”に入れる注文受付処理を実施する（Ｓ１５）。このとき、「Ｃ社」は、通常価格５００円の「○×△□の歴史（電子書籍版）」を、交換購入による優待価格“１０円”で“買い物かご”に入れる処理を実行する。
【０１０５】
その後、「Ｃ社」は、注文内容確認画面を生成し（Ｓ１６）、これを注文情報の送信元である電子書籍販売仲介システム１００に送信する（Ｓ１７）。これを受けて、電子書籍販売仲介システム１００は、当該注文内容確認画面のＵＲＬをリダイレクト先に指定したリダイレクト指示を生成し、Ｓ１２で受信した認証チケットと当該リダイレクト指示をスマートフォン１０に送信する（Ｓ１８）。リダイレクト指示を受信したスマートフォン１０は、「Ｃ社」に対して認証チケットを送信して注文内容確認画面のＵＲＬにリダイレクトする（Ｓ１９）。これを受けて、「Ｃ社」は、当該注文内容確認画面をスマートフォン１０に送信する（Ｓ２０）。これを受けて、スマートフォン１０は、「Ｃ社」から受信した注文内容確認画面をディスプレイ３０８に表示する（Ｓ２１）。図２１（ｃ）は、このときスマートフォン１０のディスプレイ３０８に表示される注文内容確認画面を示す。図２１（ｃ）に示す注文内容確認画面においては、「○×△□の歴史（電子書籍版）」のイメージとその価格“￥１０”が“紙版書籍と交換するお客様に適用される優待価格です”というメッセージとともに表示されている。なお、これ以降に実施される手順は、先に図１１に基づいて説明した内容（Ｓ３５〜Ｓ４１）と同じであるの、ここではこれ以上の説明を省略する。
【０１０６】
以上、説明したように、本実施形態によれば、販売元の垣根を超えて、紙版書籍と電子書籍の交換を実現するための新しい仕組みが提供される。この仕組みは、電子書籍の潜在需要を惹起するとともに、古書の回収事業に一役買うことが期待される。
【０１０７】
最後に、課金情報更新部１０９が更新する課金情報（図１１、Ｓ４１参照）について説明する。ここでいう課金情報とは、本システムが提供するビジネスプラットフォームに参加する「出版社」、「印刷所」、「電子書籍販売店」、「新刊書店」、「古書店」および「書籍回収センター」の一部または全部を対象とする課金の算定根拠となる情報を意味する。なお、どのような課金情報に基づいて、誰に、どのような方法で、どういった按分で課金するかについては、当該ビジネスプラットフォームを利用する目的に応じて任意に決めることができる設計事項であり、本発明はその内容を限定するものではない。ここでは、電子書籍販売仲介システム１００が仲介した電子書籍の販売件数（仲介販売件数）とその販売売上（仲介販売売上）を課金情報とし、当該課金情報に基づいて電子書籍販売店に課金する場合について説明する。
【０１０８】
図２２は、課金情報更新部１０９が更新する課金情報管理テーブル８００を例示的に示す。図２２に示すように、課金情報管理テーブル８００は、電子書籍販売店の識別情報（名称等）を格納するためのフィールド８０１、仲介販売件数を格納するためのフィールド８０２、仲介販売売上を格納するためのフィールド８０３、課金の契約形態を格納するためのフィールド８０４、課金額を格納するためのフィールド８０５を備える。
【０１０９】
この場合、課金情報更新部１０９は、決済確認部１０８から“決済完了”の旨とその決済金額の通知を受けると、当該決済結果の送信元の電子書籍販売店に紐付いた仲介販売件数（フィールド８０２）の値をインクリメントし、仲介販売売上（フィールド８０３）の値に通知された決済金額を加算する。これを受けて、課金額（フィールド６０５）の値が課金形態（フィールド６０４）の内容に従って更新される。電子書籍販売仲介システム１００の運営主体は、所定の期日ごとに課金情報管理テーブル８００に基づいて課金額を集計し、集計した課金額を各電子書籍販売店に請求する。
【０１１０】
なお、課金形態としては、仲介販売件数１件毎に固定金額を課金する形態や、仲介販売売上に対して所定の歩合をかけた金額を課金する形態などを例示することができる。この他、月額固定制や従量制などの形態で課金する個別契約を電子書籍販売店と結んでもよい。
【０１１１】
以上、本発明について第１および第２実施形態をもって説明してきたが、本発明は上述した実施形態に限定されるものではない。例えば、上述した実施形態では、ユーザ端末としてスマートフォンが使用される態様について説明したが、ユーザ端末は、タブレットＰＣ、ノートＰＣなど任意の情報端末であってもよいことはいうまでもない。また、上述した実施形態では、書籍個体ＩＤの付与方法として、そのテキストまたは変換コードを普通印刷する態様を説明したが、この他にも、書籍個体ＩＤの内容（テキスト）を紙版書籍の適切な領域に地紋印刷する方法を採用してもよい。
【０１１２】
また、上述した実施形態では、書籍個体ＩＤの変換コードをユーザ端末や書店の専用装置の側でデコードして書籍個体ＩＤを取得する態様を説明したが、電子書籍販売仲介システム側で書籍個体ＩＤをデコードする構成を採用してもよい。この場合、ユーザ端末等は、書籍個体ＩＤの変換コードの写真を撮影して電子書籍販売仲介システムに送信し、電子書籍販売仲介システムが当該写真を解析して書籍個体ＩＤを取得する。（先に述べた地紋印刷の場合も同様。）その他、当業者が推考しうる実施態様の範囲内において、本発明の作用・効果を奏する限り、本発明の範囲に含まれるものである。
【０１１３】
なお、上述した実施形態の各機能は、Ｃ、Ｃ＋＋、Ｃ＃、Ｊａｖａ（登録商標）などで記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの装置可読な記録媒体に格納して頒布することができ、また他装置が可能な形式でネットワークを介して伝送することができる。
【符号の説明】
【０１１４】
１０…スマートフォン
２０…サーバ
３０…サーバ
４０…サーバ
５０…サーバ
６０…ネットワーク
１００…電子書籍販売仲介システム
１０１…書籍個体ＩＤ発行部
１０２…紙版書籍情報管理部
１０３…書籍個体ＩＤ取得部
１０４…ユーザ情報登録部
１０５…電子書籍注文受付部
１０６…代理注文部
１０７…代理認証部
１０８…決済確認部
１０９…課金情報更新部
１１０…ユーザ認証部
２００…プロセッサ
２０２…ＲＯＭ
２０４…ＲＡＭ
２０６…補助記憶装置
２０８…入出力装置インタフェース
２１０…ネットワークインタフェース
３００…プロセッサ
３０２…ＲＯＭ
３０４…ＲＡＭ
３０６…補助記憶装置
３０８…タッチパネルディスプレイ
３１０…無線Ｉ／Ｆ
３１２…アンテナ
５００…書籍情報管理テーブル
５０１,５０２,５０３,５０４,５０５…フィールド
６００…ユーザ情報登録テーブル
６０１,６０２,６０３,６０４,６０５…フィールド
７００…書籍回収状況管理テーブル
７０１,７０２,７０３…フィールド
８００…課金情報管理テーブル
８０１,８０２,８０３,８０４,８０５…フィールド
１０００…ネットワークシステム
【先行技術文献】
【特許文献】
【０１１５】
【特許文献１】特開２０１１−１６５０３０号公報
【図１】
2016173624.tif 000003
【図２】
2016173624.tif 000004
【図３】
2016173624.tif 000005
【図４】
2016173624.tif 000006
【図５】
2016173624.tif 000007
【図６】
2016173624.tif 000008
【図７】
2016173624.tif 000009
【図８】
2016173624.tif 000010
【図９】
2016173624.tif 000011
【図１０】
2016173624.tif 000012
【図１１】
2016173624.tif 000013
【図１２】
2016173624.tif 000014
【図１３】
2016173624.tif 000015
【図１４】
2016173624.tif 000016
【図１５】
2016173624.tif 000017
【図１６】
2016173624.tif 000018
【図１７】
2016173624.tif 000019
【図１８】
2016173624.tif 000020
【図１９】
2016173624.tif 000021
【図２０】
2016173624.tif 000022
【図２１】
2016173624.tif 000023
【図２２】
2016173624.tif 000024